(57)【特許請求の範囲】
【請求項１】
バストを覆うためのカップ部を有する衣類において、
バストの造形性を補助するための造形補助部であって、前記カップ部の少なくとも下部に設けられる当該造形補助部を有し、
前記造形補助部は、バストに対して湾曲状の面を有するプレート状をなし、
前記造形補助部の湾曲状の面の曲率は、当該造形補助部を配置していない状態の前記カップ部の曲率よりも大きく、
前記造形補助部は、弾性を有し、
前記造形補助部の最下点部分の下辺は、バージスラインよりバスト側を通るカップ部を有する衣類。
【請求項２】
前記造形補助部は、前記カップ部の少なくとも下部に形成された収容部に収容される、請求項１に記載のカップ部を有する衣類。
【請求項３】
前記造形補助部の少なくとも脇側部分の下辺は、バージスラインよりバスト側を通る、請求項１又は２に記載のカップ部を有する衣類。
【請求項４】
前記造形補助部の前中心側端部は、バストトップの高さより低い位置に位置する、請求項１〜３の何れか１項に記載のカップ部を有する衣類。
【請求項５】
前記造形補助部の脇側端部は、バストトップの高さより高い位置に位置する、請求項１〜３の何れか１項に記載のカップ部を有する衣類。
【請求項６】
前記カップ部の下辺部脇側以外の下辺部を支持するためのバック部を更に有し、
前記バック部は、前記カップ部の下辺部脇側から遊離している、
請求項１〜３の何れか１項に記載のカップ部を有する衣類。
【請求項７】
前記カップ部の下辺部を支持するためのカップワイヤーと、
前記カップ部の下辺部脇側を支持するためのバック部と、
を更に有し、
前記造形補助部を収容する前記カップ部の収容部は、前記カップワイヤーに対して実質的に遊離している、
請求項２に記載のカップ部を有する衣類。
【請求項８】
前記カップ部の下辺部脇側以外の下辺部を支持するためのカップワイヤーを更に有する、
請求項１〜３の何れか１項に記載のカップ部を有する衣類。
【発明の詳細な説明】
【技術分野】
【０００１】
本発明は、バストを覆うためのカップ部を有する衣類に関するものである。
【背景技術】
【０００２】
バストを覆うためのカップ部を有する衣類として、例えばブラジャーが知られている。この種のブラジャーでは、バストの造形性を高めるために、カップ部の下部に柔らかい素材からなるパッドが配置されることがある。しかしながら、この種のパッドでは、バストを十分に押し上げることができず、カップ部の上部に十分な膨らみを出すことができないことがある。特に、加齢変化によって、柔らかさが増したバストに対して、この傾向が強い。【０００３】
バストの造形性を更に高めるために、パッドを厚くすることが考えられるが、この場合、着用者に圧迫感を与えてしまうことがある。また、この場合、バストの重みに負けて、パッドがバストを押し上げられず、カップ部が下がってしまうことがある。カップ部が下がると、バストを上側や内側に移動する十分な造形力が得られない。この場合、バストをしっかりと支えていないため、着用者の動きに起因して、バストのボリュームが脇側へ逃げてしまう。【０００４】
カップ部が下がらないようにするために、カップ部の下辺縁にしっかりしたカップワイヤーを設けたり、カップ部の下部の土台部やバック部をしっかりさせたりすることが考えられるが、この場合、着用者に締付感を与えてしまう。【０００５】
この点に関し、特許文献１には、カップワイヤーの代わりに、カップ部の下端側の周縁にバストサポート部材を設けることが記載されている。このバストサポート部材は、ポリカーボネイトまたはポリエチレンテレフタレートの硬質弾性プレートを芯材とし、該芯材の表裏にポリエステル繊維の織物生地又は編物生地を重合した高剛性の硬質プレートからなっている。これらの芯材及び表裏の生地は、熱溶着積層体にモールド熱成型して、カップ部のバストサイドあるいはアンダーバストの形状に硬化されている。これによれば、バストの重みに耐えることができ容易に形状のだれないバスト補正性に優れ、かつ、身体に平面状に接して肌に優しいとしている。【０００６】
また、特許文献２には、カップ部の代わりに、下垂変形を招き易く、支持・補正を要する乳頭を頂点とし、前中心近傍からアンダーバストを経て脇部近傍に至る扇状部を設けることが記載されている。この扇状部は、伸縮素材からなっている。これによれば、着用時に伸縮素材の原型復帰性によって、要部に面圧力が加わるようにしたとしている。
【先行技術文献】
【特許文献】
【０００７】
【特許文献１】特開２００１−２８８６０４号公報
【特許文献２】再公表ＷＯ９９／５８００７号公報
【発明の概要】
【発明が解決しようとする課題】
【０００８】
しかしながら、特許文献１に開示のバストサポート部材のように、バスト形状のプレートをカップ部の下端側の周縁に添えるだけでは、バストが下がることを抑制できるだけである。更に言えば、特許文献１に開示のバストサポート部材では、バストを上側や内側に移動する造形力（寄せ、上げ）を十分に得ることができない。また、特許文献２に開示の扇状部でも、伸縮性を利用してバストを抑えるだけであり、バストを上側や内側に移動する造形力（寄せ、上げ）を十分に得ることができない。【０００９】
そこで、本発明は、着用者に圧迫感及び締付感を与えることなく、バストの造形性を高めることが可能なカップ部を有する衣類を提供することを目的としている。
【課題を解決するための手段】
【００１０】
本発明のカップ部を有する衣類は、バストを覆うためのカップ部を有する衣類において、バストの造形性を補助するための造形補助部であって、カップ部の少なくとも下部に設けられる当該造形補助部を有する。この造形補助部は、バストに対して湾曲状の面を有するプレート状をなし、造形補助部の湾曲状の面の曲率は、当該造形補助部を配置していない状態のカップ部の曲率よりも大きく、造形補助部は、弾性を有し、造形補助部の最下点部分の下辺は、バージスラインよりバスト側を通る。
【００１１】
このカップ部を有する衣類によれば、着用時に、造形補助部が、バストによって広げられ、弾性作用による戻る力でバストを挟むように作用する。また、造形補助部が、バージスラインより内側のバスト下部（又は、バストの脇側部等）の膨らんだ部分を押すことにより、バストのボリュームが上側や内側に移動しやすい。これにより、バストのボリュームを上方向に移動させることができ、バストの脇側もすっきりさせることができる。このように、このカップ部を有する衣類によれば、カップ部によりバストを抑えると共に、造形補助部によってバストを挟むことにより、バストの造形性を高めることが可能となる。【００１２】
また、バストの造形性を高めるために、分厚いパッドを用いる必要がない。その結果、着用者に圧迫感を与えることなく、バストの造形性を高めることが可能となる。また、バストの造形性を高めるために、土台部、カップワイヤー、バック部をしっかりさせたり、肩紐部の引き上げを強くしたりする必要がない。その結果、楽な着用感で、バストの造形性を高めることが可能となる。【００１３】
また、このカップ部を有する衣類によれば、造形補助部が、バスト下部をしっかりと挟むので、カップ部が下がることを抑制することができる。【００１４】
また、このカップ部を有する衣類によれば、着用者の動きに起因してバストが変形しても、造形補助部が弾性特性によって変形してバストの変形に追従するので、バストの高い造形性を維持することができる。【００１５】
また、このカップ部を有する衣類によれば、カップワイヤーによる造形力が必要ないため、ノンワイヤータイプでもバストの造形性を高めることができる。【００１６】
上記した造形補助部は、カップ部の少なくとも下部に形成された収容部に収容されてもよい。この構成によれば、造形補助部をカップ部と別体にし、着脱を容易にすることができる。【００１７】
上記した造形補助部の少なくとも脇側部分の下辺は、バージスラインよりバスト側を通る形態であってもよい。この構成によれば、バージスラインより内側のバスト下部（又は、バストの脇側部等）の膨らんだ部分を効率的に押すことができ、バストのボリュームが効率的に上側や内側に移動しやすい。また、造形補助部は、バージスラインを硬いもので絞り込むものではない。バストのふくらみ部分を、バネ性のある素材で優しく挟むので痛感を与えることなく、バストの造形性を高めることができる。【００１８】
上記した造形補助部の前中心側端部は、バストトップの高さより低い位置に位置してもよい。この構成によれば、バストの上部前中心側の膨らみをつぶしてしまうことを抑制することができる。【００１９】
上記した造形補助部の脇側端部は、バストトップの高さより高い位置に位置してもよい。この構成によれば、脇に流れやすいバストをせき止めることができ、また、バストの脇側をすっきりさせることができる。【００２０】
上記したカップ部を有する衣類は、カップ部の下辺部脇側以外の下辺部を支持するためのバック部を更に有し、バック部は、カップ部の下辺部脇側から遊離していてもよい。この構成によれば、バック部によるカップ部の下辺部脇側を横に引く力が造形補助部の脇側端部に作用して、造形補助部によるバスト下部（又は、バストの脇側部等）を挟む作用を阻害することを防止することができる。【００２１】
上記したカップ部を有する衣類は、カップ部の下辺部を支持するためのカップワイヤーと、カップ部の下辺部脇側を支持するためのバック部とを更に有し、上記した造形補助部を収容するカップ部の収容部は、カップワイヤーに対して実質的に遊離していてもよい。この構成によれば、カップワイヤーによって、造形補助部によるバスト下部を挟む作用を阻害することを防止することができる。また、バック部によるカップ部の下辺部脇側を横に引く力が造形補助部の脇側端部に作用して、造形補助部によるバスト下部（又は、バストの脇側部等）を挟む作用を阻害することを防止することができる。【００２２】
上記したカップ部を有する衣類は、カップ部の下辺部脇側以外の下辺部を支持するためのカップワイヤーを更に有してもよい。この構成によれば、カップワイヤーによって、造形補助部の脇側端部によるバスト下部（又は、バストの脇側部等）を挟む作用を阻害することを防止することができる。
【発明の効果】
【００２３】
本発明によれば、着用者に圧迫感及び締付感を与えることなく、バストの造形性を高めることができる。
【図面の簡単な説明】
【００２４】
【図１】図１は本発明の第１の実施形態に係るブラジャーを裏側から示す斜視図である。
【図２】図２は図１に示すII-II線に沿う断面図である。
【図３】図３は図１に示す造形補助部材を示す斜視図である。
【図４】図４はバストに対する造形補助部材の配置の一例を示す図である。
【図５】図５は第１の実施形態の変形例に係るブラジャーを裏側から示す斜視図である。
【図６】図６は図５に示すVI-VI線に沿う断面図である。
【図７】図７は本発明の第２の実施形態に係るブラジャーを裏側から示す斜視図である。
【図８】図８は本発明の第３の実施形態に係るブラジャーを裏側から示す斜視図である。
【図９】図９は図８に示すIV-IV線に沿う断面図である。
【図１０】図１０は本発明の第４の実施形態に係るブラジャーを裏側から示す斜視図である。
【図１１】図１１は本発明に係る造形補助部材の変形例を示す図である。
【発明を実施するための形態】
【００２５】
以下、図面を参照して本発明の好適な実施形態について詳細に説明する。なお、各図面において同一又は相当の部分に対しては同一の符号を附すこととする。
［第１の実施形態］
【００２６】
図１は、本発明の第１の実施形態に係るブラジャーを裏側から示す斜視図であり、図２は、図１に示すII-II線に沿う断面図である。このブラジャー１は、本体部１０と造形補助部材（造形補助部）２０とを備えている。なお、ブラジャー１は左右略対称であるので、以下では左右の一方のみによって説明する。
【００２７】
本体部１０は、カップ部１２と、土台部１４と、バック部１６と、肩紐部１８とを有している。
【００２８】
カップ部１２は、バストを覆うためのものであり、土台部１４に支持されている。土台部１４は、バージスラインの最下点Ａ付近を境界として、前中心側部分１４ｆと、脇側部分１４ｓとを有しており、カップ部１２の下辺部と縫着されている。土台部１４は、伸縮性の布からなり、素材としては、パワーネット、トリコネット、ツーウェイトリコット等が適用可能である。なお、安定性を更に高めるために、土台部１４の前中心部分１４fに、脇側部分１４ｓと異なる非伸縮性又は難伸縮性の布を使用しても良い。その場合の素材としては、マーキゼット、ダブルトリコット等が適用可能である。
【００２９】
また、カップ部１２の表側には、装飾布３０が設けられており、装飾布３０の脇側にはバック部１６が連結して設けられている。バック部１６は、伸縮性の布からなっており、背中において連結することによって、カップ部１２及び土台部１４を支持するためのものである。バック部１６の上辺部及び下辺部には、伸縮性のテープ部材１６ｕ，１６ｌがそれぞれ縫着されている。テープ部材１６ｕは、カップ部１２の上辺部脇側端部Ｂに縫着している。一方、テープ部材１６ｌは、土台部１４の下辺部まで延在し、土台部１４の下辺部及び装飾布３０の下辺部と縫着されている。バック部１６及び装飾布３０は、カップ部１２の上辺部脇側端部Ｂ及び土台部１４の下辺部以外において、カップ部１２及び土台部１４に対して遊離している。
【００３０】
また、カップ部１２の上辺部脇側端部Ｂには、肩紐部１８が連結されており、肩紐部１８の他端は、バック部１６に連結されている。肩紐部１８は、伸縮性の布又は紐等からなっている。
【００３１】
ここで、土台部１４の脇側部分１４ｓは伸縮性の布からなり、更に、土台部１４の脇辺部はバック部１６に連結していないので、カップ部１２の下辺部脇側１２ｓに、バック部１６による横に引っ張る力が作用することが抑制される。
【００３２】
また、カップ部１２の裏側の下部には、造形補助部材２０を収容するための収容部４０が形成されている。収容部４０は、左右端部の少なくとも何れか一方に開口を有する袋状をなしており、カップ部１２の下辺に沿って湾曲状に延在している。
【００３３】
次に、造形補助部材２０について説明する。図３は、図１に示す造形補助部材を示す斜視図であり、図４は、バストに対する造形補助部材の配置の一例を示す図である。
【００３４】
造形補助部材２０は、カップ部１２の下部に設けられ、バージスラインの最下点Ａ付近から左右斜め上方向に湾曲状に延びる帯状（プレート状）をなしている。換言すれば、造形補助部材２０は、バスト側の面として湾曲状の面を有する帯状をなしている。造形補助部材２０は、弾性を有する樹脂からなり、造形補助部材２０の素材には、６６ナイロン樹脂、ポリアセタール、ポリカーボネイト、エラストマー樹脂、ポリエチレンテレフタレート等が適用可能である。
【００３５】
造形補助部材２０の湾曲状の面の曲率は、当該造形補助部を配置していない状態のカップ部１２の曲率よりも大きく形成されている。すなわち、造形補助部材２０は、バスト形状よりも急なカーブで形成されている。これにより、着用時に、造形補助部材２０は、バストによって広げられ、弾性作用による戻る力でバストを挟むように作用することとなる。
【００３６】
造形補助部材２０の下辺２０ｌは、バージスラインＢＬよりバスト側のライン（膨らみのあるところ）を通る。このように、バージスラインの内側のバストの膨らんでいる部分を押すことにより、バストのボリュームが移動しやすくなる。
【００３７】
例えば、造形補助部材２０の最下点部分２０ｂ、前中心側部分２０ｆ、及び、脇側部分２０ｓ全ての下辺２０ｌが、バージスラインＢＬよりバスト側のラインを通ってもよい。また、例えば、図４に例示するように、造形補助部材２０の最下点部分２０ｂの下辺２０ｌはバージスラインＢＬを通り、造形補助部材２０の前中心側部分２０ｆ及び脇側部分２０ｓの下辺２０ｌが、バージスラインＢＬよりバスト側のラインを通ってもよい。これらの場合、最下点部分２０ｂを支点として、前中心側部分２０ｆ及び脇側部分２０ｓによって、バストを左右から挟むように作用する。
【００３８】
また、例えば、造形補助部材２０の最下点部分２０ｂから前中心側部分２０ｆまでの下辺２０ｌはバージスラインＢＬを通り、造形補助部材２０の脇側部分２０ｓの下辺２０ｌが、バージスラインＢＬよりバスト側のラインを通ってもよい。この場合、最下点部分２０ｂから前中心側部分２０ｆまでを支点として、脇側部分２０ｓによって、バストを脇側から挟むように作用する。
【００３９】
また、例えば、造形補助部材２０の最下点部分２０ｂの下辺２０lが、バージスラインＢＬの最下点Ａ付近より脇側のバージスラインＢＬを通り、造形補助部材２０の前中心側部分２０ｆ及び脇側部分２０ｓの下辺２０ｌが、バージスラインＢＬよりバスト側のラインを通ってもよい。この場合、バスト脇側の膨らみを中心に挟むため、更にバストのボリュームを前中心側に移動させることができる。
【００４０】
このように、少なくとも造形補助部材２０の脇側部分２０ｓの下辺２０ｌがバージスラインＢＬよりバスト側のラインを通るように配置されればよい。
【００４１】
なお、造形補助部材２０の最下点部分２０ｂから前中心側部分２０ｆまでの下辺２０ｌがバージスラインＢＬを通り、造形補助部材２０の脇側部分２０ｓの下辺２０ｌがバージスラインＢＬよりバスト側のラインを通る場合に、造形補助部材２０の最下点部分２０ｂから前中心側部分２０ｆまでの湾曲状の面の曲率をカップ部１２の曲率と同等とし、造形補助部材２０の最下点部分２０ｂから脇側部分２０ｓまでの湾曲状の面の曲率をカップ部１２の曲率よりも大きくしてもよい。
【００４２】
このようにして、バストボリュームを移動させたい部分や、カップの形状等によって、造形補助部材２０の配置を変更することができる。
【００４３】
造形補助部材２０の前中心側端部２０ｆｔは、バストトップの高さＴより低い位置に位置してもよい。これによれば、バストの前中心側を必要以上におさえて、膨らみをつぶしてしまうことを抑制することができる。例えば、造形補助部材２０は、バージスラインの最下点Ａ付近から脇側上方に延在する形態、すなわち、最下点部分２０ｂ及び脇側部分２０ｓからなる形態であってもよい。この場合、最下点部分２０ｂを支点として、脇側部分２０ｓによって、バストを脇側から挟むように作用する。
【００４４】
また、造形補助部材２０の脇側端部２０ｓｔは、バストトップの高さＴより高い位置に位置してもよい。これによれば、脇に流れやすいバストをせき止めることができ、また、バスト脇側のボリュームを前中心側及び上部に移動させて、バストの脇側をすっきりさせることができる。
【００４５】
造形補助部材２０の幅は、バストに食い込んで着用者に痛感を与えることがない程度に設定される。また、造形補助部材２０の最下点の幅は、弾性作用が効率的に作用するように、左右端部の幅より広くてもよい。また、造形補助部材２０の最下点から左右端部に延びるに従って幅を細くすると、カップの表側から造形補助部材の形がわかりにくくなるため良い。一例を示すと、造形補助部材２０の最下点の幅が約１〜２ｃｍに、左右端部の幅が約５ｍｍに設定される。また、造形補助部材２０の厚みは、素材によって調整して設定される。一例を示すと、造形補助部材２０の厚みは、柔らかめの６６ナイロン樹脂では約１．５ｍｍに、硬めのポリアセタールでは約１ｍｍに設定される。
【００４６】
この第１の実施形態のブラジャー１によれば、着用時に、造形補助部材２０が、バストによって広げられ、弾性作用による戻る力でバストを挟むように（手で摘むように）作用する。また、造形補助部材２０が、バージスラインより内側のバスト下部の膨らんだ部分を押すことにより、バストのボリュームが上側や内側に移動しやすい。これにより、バストのボリュームを上方向に移動させることができ、バストの脇側もすっきりさせることができる。このように、第１の実施形態のブラジャー１によれば、カップ部１２によりバストを抑えると共に、造形補助部材２０によってバストを挟むことにより、バストの造形性を高めることが可能となる。
【００４７】
また、造形補助部材２０は、バージスラインを硬いもので絞り込むものではない。バストのふくらみ部分を、バネ性のある素材で優しく挟むので痛感を与えることなく、造形性を高めることができる。
【００４８】
また、バストの造形性を高めるために、分厚いパッドを用いる必要がない。その結果、着用者に圧迫感を与えることなく、バストの造形性を高めることが可能となる。また、バストの造形性を高めるために、土台部、カップワイヤー、バック部をしっかりさせたり、肩紐部の引き上げを強くしたりする必要がない。その結果、楽な着用感で、バストの造形性を高めることが可能となる。
【００４９】
また、第１の実施形態のブラジャー１によれば、造形補助部材２０が、バスト下部をしっかりと挟むので、カップ部１２が下がることを抑制することができる。
【００５０】
また、第１の実施形態のブラジャー１によれば、着用者の動きに起因してバストが変形しても、造形補助部材２０が弾性特性によって変形してバストの変形に追従するので、バストの高い造形性を維持することができる。例えば、腕を上げた場合、バストの形状は縦長となり、幅が細くなる。従来のカップやワイヤーはその形状の変化に追従できず、幅が広いままであるため、カップが下に下がってしまうが、造形補助部材２０は、弾性特性によってバストの幅が細くなってもバストを挟み続けることができる。そのため、バストの高い造形性を維持することができる。
【００５１】
また、第１の実施形態のブラジャー１によれば、カップワイヤーによる造形力が必要ないため、ノンワイヤータイプでもバストの造形性を高めることができる。
【００５２】
なお、第１の実施形態のブラジャー１によれば、バック部１６が、カップ部１２の下辺部脇側１２ｓ及び土台部１４の脇側から遊離しているので、バック部１６による横に引く力がカップ部１２の下辺部脇側１２ｓ及び造形補助部材２０の脇側に作用して、造形補助部材２０によるバスト下部を左右から挟む作用を阻害することを防止することができる。
（第１の実施形態の変形例）
【００５３】
図５は、第１の実施形態の変形例に係るブラジャーを裏側から示す斜視図であり、図６は、図５に示すIV-IV線に沿う断面図である。上述した第１の実施形態では、上辺及び下辺がカップ部１２に縫着されて袋状をなす収容部４０を例示したが、図５及び図６に示すように、収容部４０は、単体で袋状をなし、造形補助部材２０を内蔵してもよい。また、第１の実施形態では、左右端部の少なくとも何れか一方に開口を有する収容部４０を例示したが、収容部４０は、左右端部に開口を設けなくともよい。
【００５４】
また、収容部４０単体で袋状をなす場合、図５及び図６に示すように、収容部４０は、カップ部１２の下辺及び上辺と接する部分のみ、すなわち、収容部４０の下辺及び左右端部付近においてカップ部１２の下辺及び上辺に縫着されており、それ以外の部分はカップ１２に対して遊離していてもよい。これにより、造形補助部２０の形状がカップ部１２の表側にひびくことを抑制することができる。また、収容部４０は、カップ部１２の表側、つまりカップ部１２と装飾布３０との間に設けても良い。こうすることにより、肌あたりが更に向上する。
［第２の実施形態］
【００５５】
図７は、本発明の第２の実施形態に係るブラジャーを裏側から示す斜視図である。このブラジャー１Ａは、本体部１０Ａと上記した造形補助部材２０とを備えている。なお、ブラジャー１Ａは左右略対称であるので、以下では左右の一方のみによって説明する。
【００５６】
本体部１０Ａは、カップ部１２Ａと、土台部１４Ａと、バック部１６Ａとを有している。本体部１０Ａは、第１の実施形態の本体部１０に対して、主に以下の点で異なる。すなわち、本体部１０Ａでは、一般的なブラジャーと同様に、カップ部１２Ａが土台部１４Ａにしっかりと固定されており、カップ部１２Ａの下辺部全体にカップワイヤーが設けられており、肩紐部を備えていない。
【００５７】
具体的には、カップ部１２Ａは、バストを覆うためのものであり、土台部１４Ａに支持されている。土台部１４Ａは、非伸縮性の布からなっており、カップ部１２Ａの下辺部と縫着されている。土台部１４Ａの脇辺部には、バック部１６Ａが縫着されている。なお、土台部１４Ａは必ずしも備えなくてもよい。その場合、バック部１６Ａは、カップ部１２Ａの下辺部脇側に縫着される。バック部１６Ａは、伸縮性の布からなっており、背中において連結することによって、土台部１４Ａの脇辺部、すなわちカップ部１２Ａの下辺部脇側１２ｓを横に引っ張る力を生じさせ、カップ部１２Ａを安定させる。
【００５８】
また、カップ部１２Ａと土台部１４Ａとの境界には、すなわち、バージスラインに沿ってカップワイヤー５０が装着されている。なお、カップワイヤー５０は必ずしも備えなくてもよい。
【００５９】
カップ部１２Ａの下辺部におけるバージスラインの最下点Ａ付近には、造形補助部材２０を係止するための係止部４０Ａが形成されている。係止部４０Ａは、上端及び下端がカップ部１２Ａの裏側に縫着されて、略環状をなしている。これにより、係止部４０Ａは、造形補助部材２０の最下点部分２０ｂ付近のみを係止する。すなわち、造形補助部材２０の前中心側部分２０ｆ（前中心側端部２０ｆｔ）及び脇側部分２０ｓ（脇側端部２０ｓｔ）は、カップ部１２Ａに対して遊離している。
【００６０】
この第２の実施形態のブラジャー１Ａでも、第１の実施形態のブラジャー１と同様の利点を得ることができる。
【００６１】
また、第２の実施形態のブラジャー１Ａによれば、造形補助部材２０の前中心側部分２０ｆ（前中心側端部２０ｆｔ）及び脇側部分２０ｓ（脇側端部２０ｓｔ）は、カップ部１２Ａに対して遊離しているので、バック部１６Ａによるカップ部１２Ａの下辺部脇側１２ｓを横に引く力が造形補助部材２０の脇側部分２０ｓ（脇側端部２０ｓｔ）に作用して、造形補助部材２０によるバスト下部を挟む作用を阻害することを防止することができる。
［第３の実施形態］
【００６２】
図８は、本発明の第３の実施形態に係るブラジャーを裏側から示す斜視図であり、図９は、図８に示すIX-IX線に沿う断面図である。このブラジャー１Ｂは、本体部１０Ｂと上記した造形補助部材２０とを備えている。なお、ブラジャー１Ｂは左右略対称であるので、以下では左右の一方のみによって説明する。
【００６３】
本体部１０Ｂは、本体部１０Ａにおいてカップ部１２Ａに代えてカップ部１２Ｂを有する構成で第２の実施形態と異なっている。本体部１０Ｂのその他の構成は、本体部１０Ａと同一である。
【００６４】
本体部１０Ｂの裏側の下部には、カップ部１２Ａの係止部４０Ａに代えて、造形補助部材２０を収容するための収容部４０Ｂが設けられている。収容部４０Ｂは、伸縮性の連結布４１を介して本体部１０Ｂに係止されている。例えば、収容部４０Ｂと本体部１０Ｂとの間に連結布４１を重ね合わせて配置し、収容部４０Ｂの上辺を連結布４１の上辺に縫着し、連結布４１の下辺及び左右端辺をカップ部１２Ｂに縫着する。このように、収容部４０Ｂは、カップ部１２Ｂに対して実質的に遊離することとなる。
【００６５】
これにより、バック部１６Ａによるカップ部１２Ｂの下辺部脇側１２ｓを横に引く力が発生しても、連結布４１が広がることにより、造形補助部材２０の脇側部分２０ｓが横に引かれることが抑制される。
【００６６】
この第３の実施形態のブラジャー１Ｂでも、第１の実施形態のブラジャー１と同様の利点を得ることができる。
【００６７】
また、第３の実施形態のブラジャー１Ｂによれば、収容部４０Ｂがカップ部１２Ｂに対して実質的に遊離することによって、造形補助部材２０がカップ部１２Ｂに対して実質的に遊離しているので、第２の実施形態のブラジャー１Ａと同様の利点を得ることができる。すなわち、バック部１６Ａによるカップ部１２Ｂの下辺部脇側１２ｓを横に引く力が造形補助部材２０の脇側部分２０ｓ（脇側端部２０ｓｔ）に作用して、造形補助部材２０によるバストを挟む作用を阻害することを防止することができる。
［第４の実施形態］
【００６８】
図１０は、本発明の第４の実施形態に係るブラジャーを裏側から示す斜視図である。このブラジャー１Ｃは、本体部１０Ｃと上記した造形補助部材２０とを備えている。なお、ブラジャー１Ｃは左右略対称であるので、以下では左右の一方のみによって説明する。
【００６９】
本体部１０Ｃは、カップ部１２Ｃと、バック部１６Ｃと、肩紐部１８Ｃとを有している。本体部１０Ｃは、第１の実施形態の本体部１０に対して、主に以下の点で異なる。すなわち、本体部１０Ｃでは、土台部を備えず、カップ部１２Ｃの下辺部にカップワイヤーが設けられている。
【００７０】
具体的には、カップ部１２Ｃは、バストを覆うためのものであり、一対のカップ部１２Ｃは、下辺部前中心側１２ｆにおいて、例えば非伸縮性のテープ部材からなる連結部１３によって連結されている。カップ部１２Ｃの下辺部中央１２ｃには、バック部１６Ｃが縫着されている。バック部１６Ｃは、伸縮性の布、紐、又は、テープ等からなっており、背中において連結することによって、カップ部１２Ｃを支持するためのものである。
【００７１】
また、カップ部１２Ｃの裏側の下部には、造形補助部材２０を収容するための収容部４０Ｃが形成されている。収容部４０Ｃは、収容部４０と同様に形成されればよい。
【００７２】
また、カップ部１２Ｃの下辺部前中心側１２ｆ及び下辺部中央１２ｃには、カップワイヤー５０Ｃが装着されている。すなわち、カップワイヤー５０Ｃは、カップ部１２Ｃの下辺部脇側１２ｓ以外の下辺部に配置されている。すなわち、カップワイヤー５０Ｃは、造形補助部材２０の前中心側部分２０ｆ（前中心側端部２０ｆｔ）及び最下点部分２０ｂの下部に延在し、造形補助部材２０の脇側端部２０ｓｔ付近までは延在していない。
【００７３】
この第４の実施形態のブラジャー１Ｃでも、第１の実施形態のブラジャー１と同様の利点を得ることができる。
【００７４】
また、第４の実施形態のブラジャー１Ｃによれば、カップワイヤー５０Ｃがカップ部１２Ｃの下辺部脇側１２ｓ以外の下辺部を支持するので、カップワイヤー５０Ｃによって、造形補助部材２０の脇側部分２０ｓ（脇側端部２０ｓｔ）によるバスト下部を挟む作用を阻害することを防止することができる。
【００７５】
なお、本発明は上記した本実施形態に限定されることなく種々の変形が可能である。例えば、本実施形態では、バージスラインの最下点Ａ付近から左右斜め上方向に湾曲状に延びる帯状の造形補助部材を例示したが、造形補助部材の形状はこれに限定されない。図１１に、造形補助部材の他のいくつかの形状を例示する。
【００７６】
図１１（ａ）に示すように、造形補助部材２０は、前側から見た平面視において、左右方向に略直線的に延びる帯状をなしていてもよい。このような帯状の造形補助部材によれば、バストの形状に沿いやすく、フィット性がよい。
【００７７】
また、図１１（ｂ）に示すように、造形補助部材２０は、前側から見た平面視において、略楕円形状をなしていてもよい。このような面状の造形補助部材によれば、面積が広いことにより弾性力（バネ応力）が強く、すなわち、バストを挟む力が強く、また、バストを広い面積で押さえることができる。その結果、造形力が高い。
【００７８】
なお、面状の造形補助部材としては、図１１（ｃ）に示すように、前側から見た平面視において略半円形状のものや、図１１（ｄ）に示すように、前側から見た平面視において略三角形状のものなども考えられる。図１１（ｄ）に示すように、特に脇側を面状にすることにより、バスト脇側の造形力を高めることができる。
【００７９】
また、図１１（ｅ）に示すように、造形補助部材２０は、前側から見た平面視において、左右非対称な略三日月形状をなしていてもよい。このように、左右非対称として、バストを挟むための支点Ｐから前中心端部までの長さＬｃに対して、支点Ｐから脇側端部までの長さＬｓを長くすることにより、脇側を挟む力を強くすることができ、バスト脇側の造形力を高めることができる。
【００８０】
なお、図１１における何れの形状であっても、
・縦方向よりも横方向の長さが長く、
・バストトップを覆わず、すなわち、造形補助部材の上辺縁はバストトップとバージス最下点との間を通り、
・湾曲状の面の曲率がカップ部の曲率よりも大きく、
・造形補助部材の下辺の湾曲状の面の曲率よりも上辺の湾曲状の面の曲率が大きい
形態であればよい。
【００８１】
また、本実施形態では、造形補助部材の素材として樹脂を例示したが、樹脂以外にも弾性を有する素材であれば全て適用可能である。
【００８２】
また、本実施形態では、造形補助部材をカップ部材とは別部材とする形態を例示したが、本発明の造形補助部は、カップ部材の下部に一体的に形成されてもよい。例えば、モールド等のカップ部材の内部に一体成型してもよい。
【００８３】
また、本実施形態では、バック部の後端をホック等で掛け留めするタイプのブラジャーを例示したが、本実施形態の特徴は、前中心において土台部の左右を分離してホック等で掛け留めするフロントホックタイプのブラジャーにも適用可能である。
【００８４】
また、本実施形態の特徴は、ブラジャー以外でも、ブラスリップ、ブラキャミソール、ボディスーツ、カップ付きテディ、水着等のようにカップ部を備える衣類であればすべてに適用可能である。
【産業上の利用可能性】
【００８５】
着用者に圧迫感及び締付感を与えることなく、バストの造形性を高める用途に適用することができる。
【符号の説明】
【００８６】
１，１Ａ，１Ｂ，１Ｃ  ブラジャー（カップ部を有する衣類）
１０，１０Ａ，１０Ｂ，１０Ｃ  本体部
１２，１２Ａ，１２Ｂ，１２Ｃ  カップ部
１２ｃ  カップ部の下辺部中央
１２ｆ  カップ部の下辺部前中心側
１２ｓ  カップ部の下辺部脇側
Ｂ  カップ部の上辺部脇側端部
１３  連結部
１４，１４Ａ  土台部
１４ｆ  土台部の前中心側部分
１４ｓ  土台部の脇側部分
１６，１６Ａ，１６Ｃ  バック部
１６ｕ，１６ｌ  テープ部材
１８，１８Ｃ  肩紐部
２０  造形補助部材（造形補助部）
２０ｆ  造形補助部材の前中心側部分
２０ｂ  造形補助部材の最下点部分
２０ｓ  造形補助部材の脇側部分
２０ｆｔ  造形補助部材の前中心側端部
２０ｓｔ  造形補助部材の脇側端部
２０ｌ  造形補助部材の下辺
３０  装飾布
４０，４０Ｂ，４０Ｃ  収容部
４０Ａ  係止部
４１  連結布
５０，５０Ｃ  カップワイヤー
ＢＬ  バージスライン
【図１】
0005880571.tif 000002
【図２】
0005880571.tif 000003
【図３】
0005880571.tif 000004
【図４】
0005880571.tif 000005
【図５】
0005880571.tif 000006
【図６】
0005880571.tif 000007
【図７】
0005880571.tif 000008
【図８】
0005880571.tif 000009
【図９】
0005880571.tif 000010
【図１０】
0005880571.tif 000011
【図１１】
0005880571.tif 000012